(57)【要約】【課題】空気調和に必要な電力の低減を図る。【解決手段】第１のカーテン（46a）と該第１のカーテン（46a）を覆う第２のカーテン（46b）との二重構造で就寝空間（14）を形成する。そして、第２のカーテン（46b）の端縁と対向して就寝空間（14）を形成するベッド本体（10）側の支柱（41）に、該就寝空間（14）内外間の空気の流れを阻害するように、該端縁を取り付ける面ファスナ（100）を設ける。【選択図】図７
2009136562.tif 000002
【特許請求の範囲】
【請求項１】
ベッド本体（10）と、
第１のカーテン（46a）と該第１のカーテン（46a）を覆う第２のカーテン（46b）との二重構造で構成されて、前記ベッド本体（10）の上方を覆って就寝空間（14）を形成する覆い部材（46）と、
前記就寝空間（14）内に調和空気を供給する空調手段（60,80）とを備え、
前記ベッド本体（10）が、前記第２のカーテン（46b）の端縁に対向する対向部材（41）を有した空調装置付きベッドであって、
前記対向部材（41）に、前記就寝空間（14）内外間の空気の流れを阻害するように、前記第２のカーテン（46b）の端縁を取り付ける第２のカーテン用取り付け手段（100）を備えていることを特徴とする空調装置付きベッド。
【請求項２】
請求項１の空調装置付きベッドであって、
前記第２のカーテン用取り付け手段（100）は、前記端縁を脱着自在に前記対向部材（41）に取り付ける脱着部材により構成されていることを特徴とする空調装置付きベッド。
【請求項３】
請求項２の空調装置付きベッドであって、
前記脱着部材は、雌雄一対の面ファスナであることを特徴とする空調装置付きベッド。
【請求項４】
請求項１の空調装置付きベッドであって、
前記対向部材（41）は、前記ベッド本体（10）における就寝者の頭側の端部から上方に延びるように形成されて前記覆い部材（46）を支持するように構成され、
前記第２のカーテン用取り付け手段（100）は、前記第２のカーテン（46b）の端縁を所定長さに渡り前記対向部材（41）に取り付けるように構成されていることを特徴とする空調装置付きベッド。
【請求項５】
請求項１の空調装置付きベッドであって、
前記ベッド本体（10）における就寝者の足側の端部に前記第１のカーテン（46a）を取り付ける第１のカーテン用取り付け手段（201）をさらに備え、
前記第２のカーテン用取り付け手段（100）は、前記足側の端部において、前記第２のカーテン（46b）を前記第１のカーテン（46a）に取り付けるように構成されていることを特徴とする空調装置付きベッド。
【請求項６】
請求項１の空調装置付きベッドであって、
前記第１及び第２のカーテン（46a,46b）の少なくとも一方には、それぞれの取り付け位置を示す取り付け位置目印が設けられていることを特徴とする空調装置付きベッド。
【発明の詳細な説明】
【技術分野】
【０００１】
本発明は、就寝空間の空気調和を行なう空調装置付きベッドに関するものである。
【背景技術】
【０００２】
従来より、就寝者の頭部側及び脚部側の空気調和を個別に行い、人体の部位別の快適性に適した「頭寒足熱」の温度分布を形成する空調装置付きベッドが知られている（例えば、特許文献１を参照）。
【０００３】
特許文献１の空調装置付きベッドは、ベッド本体と、ベッド本体の上方を覆い就寝空間を形成する天蓋と、就寝者の頭部側を空気調和する頭側空調ユニットと、就寝者の脚側を空気調和する脚側空調ユニットとを備えている。この天蓋は、カーテンと、該カーテンを吊るす天井部材と、該天井部材を支持紐を介して支持する支持部とを備えている。
【０００４】
このように頭部側と足側のそれぞれに空調装置を設けることによって、就寝者の部位別の快適性に適した「頭寒足熱」の温度分布が形成される。
【特許文献１】特開２００７−２４４５１５号公報
【発明の開示】
【発明が解決しようとする課題】
【０００５】
しかしながら、特許文献１の空調装置付きベッドでは、カーテンは天井部材に吊るされて、そのカーテンの端はヘッドボード（ベッド本体において就寝者の頭側の端部に立設されている箱型の部材）の上面板や側面板の前面側と接しているだけなので、カーテンとヘッドボードとの間に隙間ができ易く、その結果、就寝空間内外間で空気の流入や流出が起きて、空気調和に余分な電力が使われることがあった。
【０００６】
本発明は上記の問題に着目してなされたものであり、空気調和に必要な電力の低減を図ることを目的としている。
【課題を解決するための手段】
【０００７】
上記の課題を解決するため、第１の発明は、
ベッド本体（10）と、
第１のカーテン（46a）と該第１のカーテン（46a）を覆う第２のカーテン（46b）との二重構造で構成されて、前記ベッド本体（10）の上方を覆って就寝空間（14）を形成する覆い部材（46）と、
前記就寝空間（14）内に調和空気を供給する空調手段（60,80）とを備え、
前記ベッド本体（10）が、前記第２のカーテン（46b）の端縁に対向する対向部材（41）を有した空調装置付きベッドであって、
前記対向部材（41）に、前記就寝空間（14）内外間の空気の流れを阻害するように、前記第２のカーテン（46b）の端縁を取り付ける第２のカーテン用取り付け手段（100）を備えていることを特徴とする。
【０００８】
これにより該就寝空間（14）内外間の空気の流れを阻害するように、第２のカーテン（46b）の端縁が、ベッド本体（10）側の対向部材（41）に取り付けられる。
【０００９】
また、第２の発明は、
第１の発明の空調装置付きベッドであって、
前記第２のカーテン用取り付け手段（100）は、前記端縁を脱着自在に前記対向部材（41）に取り付ける脱着部材により構成されていることを特徴とする。
【００１０】
これにより、第２のカーテン（46b）の端縁は、脱着自在に対向部材（41）に取り付けられる。
【００１１】
また、第３の発明は、
第２の発明の空調装置付きベッドであって、
前記脱着部材は、雌雄一対の面ファスナであることを特徴とする。
【００１２】
また、第４の発明は、
第１の発明の空調装置付きベッドであって、
前記対向部材（41）は、前記ベッド本体（10）における就寝者の頭側の端部から上方に延びるように形成されて前記覆い部材（46）を支持するように構成され、
前記第２のカーテン用取り付け手段（100）は、前記第２のカーテン（46b）の端縁を所定長さに渡り前記対向部材（41）に取り付けるように構成されていることを特徴とする。
【００１３】
これにより、覆い部材（46）を支持する部材と、第２のカーテン（46b）の端縁との間の空気の流れが阻害される。
【００１４】
また、第５の発明は、
第１の発明の空調装置付きベッドであって、
前記ベッド本体（10）における就寝者の足側の端部に前記第１のカーテン（46a）を取り付ける第１のカーテン用取り付け手段（201）をさらに備え、
前記第２のカーテン用取り付け手段（100）は、前記足側の端部において、前記第２のカーテン（46b）を前記第１のカーテン（46a）に取り付けるように構成されていることを特徴とする。
【００１５】
これにより、就寝者の足側において、第１及び第２のカーテン（46a,46b）が所定の位置に保持される。
【００１６】
また、第６の発明は、
第１の発明の空調装置付きベッドであって、
前記第１及び第２のカーテン（46a,46b）の少なくとも一方には、それぞれの取り付け位置を示す取り付け位置目印が設けられていることを特徴とする。
【００１７】
これにより、第１及び第２のカーテン（46a,46b）の取り付け位置が特定される。
【発明の効果】
【００１８】
第１の発明によれば、就寝空間（14）内外間の空気の流れが阻害されるので、就寝空間（14）内の空気調和に必要な電力を減少できる。
【００１９】
また、第２の発明によれば、第２のカーテン（46b）の端縁が脱着自在なので、使用状況に合わせて開閉を自在にでき、使用者の利便性がよい。
【００２０】
また、第３の発明によれば、第２のカーテン（46b）の開閉が容易にできる。
【００２１】
また、第４の発明によれば、覆い部材（46）を支持する部材と、第２のカーテン（46b）の端縁との間の空気の流れが阻害されるので、就寝空間（14）内の空気調和に必要な電力を減少できる。
【００２２】
また、第５の発明によれば、第１及び第２のカーテン（46a,46b）が足部側でも固定されるので、人が触ってずれることが少なくなり、その結果、カーテンのずれによる消費電力の増加を防止できる。
【００２３】
また、第６の発明によれば、第１及び第２のカーテン（46a,46b）の取り付け位置が特定されるので、カーテンの取り付け時に間違った位置に取り付けられたり、ずれた位置に取り付けられたりするのを防止できる。すなわち、カーテンの取り付け位置ずれによる消費電力の増加を防止できる。
【発明を実施するための最良の形態】
【００２４】
以下、本発明の実施形態について図面を参照しながら説明する。なお、以下の実施形態は、本質的に好ましい例示であって、本発明、その適用物、あるいはその用途の範囲を制限することを意図するものではない。
【００２５】
＜全体構成＞
図１は本発明の実施形態に係る空調装置付きベッド（1）を一部省略して示す斜視図である。この空調装置付きベッド（1）は、第１のカーテン（46a）と第２のカーテン（46b）を備えている。図２は空調装置付きベッド（1）の第１のカーテン（46a）を閉めた状態を示す斜視図であり、図３は空調装置付きベッド（1）の第２のカーテン（46b）で第１のカーテン（46a）を覆った状態を示す斜視図である。ただし、この図では、後述する面ファスナ（100）の位置を示すため、第２のカーテン（46b）の一部を捲った状態で示している。
【００２６】
本実施形態の空調装置付きベッド（1）は、就寝者の頭側及び脚側の空気調和を行うベッドであって、図１〜図３に示すように、ベッド本体（10）と、カーテン保持部（40）と、空調手段としての頭側空調ユニット（60）及び脚側空調ユニット（80）と、頭側空調ユニット（60）及び脚側空調ユニット（80）の運転制御を行うコントローラ（90）とを備え、カーテン保持部（40）の覆い部材（46）により就寝空間（14）が形成されている。
【００２７】
＜ベッド本体の構成＞
前記ベッド本体（10）は、図１に示すように、寝台部（11）と、該寝台部（11）の頭側端部及び脚側端部に接続されたヘッドボード（20）及びフットボード（50）を備えている。
【００２８】
前記寝台部（11）は、扁平な直方体の台状に形成されている。この寝台部（11）の上には、就寝者が横たわるためのマットレス（13）が載せられている。
【００２９】
前記ヘッドボード（20）は、図４に示すように、前面板（21）と背面板（22）と上面板（25）と下面板（24）と２枚の側面板（23）とを有し、扁平な直方体状の箱形に形成されている。ヘッドボード（20）は、寝台部（11）と概ね同じ幅長さを有し、寝台部（11）の高さより十分高い。なお、ヘッドボード（20）については、寝台部（11）の頭側を前方（前側）とする。
【００３０】
前記ヘッドボード（20）の前面板（21）には、上半部中央に第１通風グリル（21a）が、下側両端部に第２通風グリル（21b,21b）がそれぞれ設けられている。ヘッドボード（20）の上面板（25）には、両端部に第３通風グリル（25a,25a）が設けられている。第１通風グリル（21a）は、後述する頭側空調ユニット（60）の利用空気が就寝者の頭側に給排気される通風口を構成している。第２通風グリル（21b）は、頭側空調ユニット（60）の排熱空気が吸い込まれる通風口を構成している。本実施形態のベッド本体（10）では、図１に示すように、寝台部（11）の両側面に設けられた寝台部吸込口（12）よりマットレス（13）の下方空間に外部空気が取り込まれ、その空気が排熱空気として第２通風グリル（21b）へ吸い込まれるようになっている。一方、第３通風グリル（25a）は、頭側空調ユニット（60）の排熱空気が吹き出される通風口を構成している。なお、就寝空間（14）の背面側には仕切部材が設けられ、第３通風グリル（25a）から吹き出した暖気である空気（OA）が遮断されて就寝空間（14）の頭側に侵入しないようにしている。
【００３１】
前記ヘッドボード（20）には、ダクト部材（30）が収納されている。ダクト部材（30）は、概ね第１通風グリル（21a）の後方に位置し、後述する頭側空調ユニット（60）に載置されている。
【００３２】
図４及び図５に示すように、前記ダクト部材（30）は、上側板（31）と下側板（33）と背板（35）と２枚の側板（34）とを有し、前面側が開口した扁平な直方体状に形成されている。また、ダクト部材（30）は、内部空間を上下方向に仕切る仕切板（32）が設けられている。
【００３３】
前記ダクト部材（30）の仕切板（32）の中央部には、横長の長方形状に開口した利用側吹出口（32a）が形成されている。ダクト部材（30）の下側板（33）の両端部には、略正方形状に開口した利用側吸込口（33b,33b）が形成されている。上側板（31）の下面には、利用側吹出口（32a）に対応した位置に、風向板（36）が取り付けられている。また、下側板（33）の中央部には、長方形状に開口した吹出用連通口（33a）が形成されている。そして、仕切板（32）の下側の空間には、吹出用連通口（33a）から流入した空気が利用側吹出口（32a）へ流れるように該下側空間を仕切る連通板（37）が形成されている。
【００３４】
このダクト部材（30）では、就寝空間（14）の頭側の空気（利用空気）がヘッドボード（20）の第１通風グリル（21a）から流入して利用側吸込口（33b）より流出するようになっている。一方、ダクト部材（30）では、吹出用連通口（33a）から流入した空気（利用空気）が利用側吹出口（32a）を通ってヘッドボード（20）の第１通風グリル（21a）より就寝空間（14）の頭側へ流出するようになっている。
【００３５】
前記フットボード（50）は、図６に示すように、前面板（51）と背面板（52）と上面板（55）と下面板（54）と２枚の側面板（53）とを有し、扁平な直方体状の箱形に形成されている。このフットボード（50）は、ベッド本体（10）の寝台部（11）と概ね同じ幅長さを有し、且つ寝台部（11）の高さより十分高くなっている。
【００３６】
前記フットボード（50）の前面板（51）には、上半部中央に通風グリル（51a）が設けられている。この通風グリル（51a）は、寝台部（11）のマットレス（13）より高い位置に配置されている。そして、通風グリル（51a）は、後述する脚側空調ユニット（80）の利用空気が就寝者の脚側に給排気される通風口を構成している。なお、フットボード（50）については、寝台部（11）の脚側を前方（前側）とする。
【００３７】
＜カーテン保持部の構成＞
前記カーテン保持部（40）は、図２及び図３に示すように、２本の支柱（41）と、天井枠（42）とを備え、天井枠（42）には寝台部（11）の上方を覆う覆い部材（46）が掛けられて保持されている。
【００３８】
前記各支柱（41）は、板状に形成されている。そして、この各支柱（41）は、ヘッドボード（20）の両側面板（23）に取り付けられ、そのヘッドボード（20）よりも鉛直上方に延びている。
【００３９】
前記天井枠（42）は、４辺が板材で構成され、平面視矩形枠になっている。そして、天井枠（42）は、支柱（41）から前方（寝台部（11）の頭側）へ向かって水平に張り出すように該支柱（41）の上端部に固定されている。つまり、天井枠（42）は、就寝者の頭部上方に位置している。また、天井枠（42）の先端側両端部と各支柱（41）との間には、補強材として筋交い（43）が取り外し自在に設けられている。
【００４０】
前記覆い部材（46）は、レースカーテンのように透光性を有する第１のカーテン（46a）と、ドレープカーテンのように遮光性を有する第２のカーテン（46b）との二重構造で構成されている。
【００４１】
前記第１のカーテン（46a）は、第２のカーテン（46b）よりも就寝空間（14）の内側に配置されており、第１及び第２のカーテン（46a,46b）はそれぞれ、寝台部（11）の両側面及びフットボード（50）の大半を覆うように、天井枠（42）に掛けられている。第２のカーテン（46b）を天井枠（42）に掛けた状態では、該第２のカーテン（46b）の端縁が各支柱（41）と対向するように、この第２のカーテン（46b）は形成されている。なお、支柱（41）のように、第２のカーテン（46b）の端縁が対向して就寝空間（14）を形成するベッド本体（10）側の部材を対向部材と呼ぶことにする。
【００４２】
上記のように覆い部材（46）を二重構造のカーテンで構成するのは、例えば、第２のカーテン（46b）を閉めることで就寝者が閉塞感を感じる場合に、第１のカーテン（46a）のみを閉めて空調性能を確保しつつ太陽光や室内光をベッド内に採光して、就寝空間（14）の閉塞感を取り除くようにしたり、就寝者が太陽光や室内光を眩しいと感じる場合に、第２のカーテン（46b）を閉めて太陽光や室内光を遮光する等、就寝者の好みに応じて柔軟に切り替えたりするためである。
【００４３】
ここで、前記第２のカーテン（46b）は、第１のカーテン（46a）よりも高い断熱性を有しているものとする。このような構成にすれば、例えば、ホテル等のように客室内でベース空調が行われている環境下では、第１のカーテン（46a）のみを閉じて太陽光や室内光を就寝空間（14）内に採光して閉塞感を取り除きながら空調性能を確保するようにし、ベース空調が行われていない環境下では、断熱性を有する第２のカーテン（46b）を閉じることで、就寝空間（14）に供給された調和空気が外気と熱交換することを抑制でき、就寝空間（14）を快適な空気調和状態に保つことができて就寝者の就寝時における快適性が向上する。
【００４４】
また、前記第２のカーテン（46b）は、第１のカーテン（46a）よりも高い気密性を有するカーテン生地で形成する。このようにすれば、例えば、第１のカーテン（46a）がレースカーテン等の網目を有するカーテン生地で形成されている場合に、就寝空間（14）に供給された調和空気が網目を介して就寝空間（14）外に流出するおそれがあるが、第２のカーテン（46b）を閉じることで、就寝空間（14）に供給された調和空気が就寝空間（14）外に流出することが抑制でき、就寝空間（14）を快適な空気調和状態に保つことができて就寝者の就寝時における快適性が向上する。
【００４５】
また、第２のカーテン（46b）は、支柱（41）に対向している該第２のカーテン（46b）の端縁の少なくとも一部分に、該端縁を支柱（41）に取り付ける第２のカーテン用取り付け手段が構成されている。この第２のカーテン用取り付け手段は、就寝空間（14）内外間の空気の流れを阻害するように、該端縁を支柱（41）に取り付ける。この第２のカーテン用取り付け手段は、本実施形態では、雌雄一対の面ファスナ（100）である。この面ファスナ（100）は、図７に示すように、雌雄両面のうちの一方の面が支柱（41）の側面に取り付けられている。また、他方の面が、図３に示すように、前記第２のカーテン（46b）を閉じた際に該支柱（41）に沿う該第２のカーテン（46b）の端縁に取り付けられている。この構成により、面ファスナ（100）の雌雄両面を合わせると、第２のカーテン（46b）の端縁が支柱（41）に密着させられて、支柱（41）と第２のカーテン（46b）との間の隙が塞がれる。この面ファスナ（100）は脱着自在なので、上述のように使用状況に合わせて第１及び第２のカーテン（46a,46b）の開閉が容易にでき、使用者の利便性もよい。なお、面ファスナ（100）は、第２のカーテン（46b）の端縁と支柱（41）とが対向する全域に渡って設けておく必要はない。例えば、支柱（41）には、図７に示すように、第１及び第２のカーテン（46a,46b）を開けた際にこれらを留めておくカーテン止め金具（41a）などが設けられることがあるが、このような金具等は避けて配置すればよい。
【００４６】
＜頭側空調ユニット＞
前記頭側空調ユニット（60）は、ベッド本体（10）のヘッドボード（20）内に収納され、就寝者の頭側の空気調和を行うものであり、頭側空調手段を構成している。頭側空調ユニット（60）は、図８及び図５に示すように、利用側ケーシング（61）と排熱側ケーシング（65）を備えている。
【００４７】
前記利用側ケーシング（61）は、ヘッドボード（20）におけるダクト部材（30）の下方に位置し、該ダクト部材（30）の下側板（33）に接して配置されている。この利用側ケーシング（61）は、横幅長さがダクト部材（30）と概ね同じ矩形体に形成されている。
【００４８】
前記排熱側ケーシング（65）は、ヘッドボード（20）におけるダクト部材（30）及び利用側ケーシング（61）の両側方に隣接して配置されている。排熱側ケーシング（65）は、ダクト部材（30）及び利用側ケーシング（61）の高さ方向に亘って延びる縦長の矩形体に形成されている。
【００４９】
前記利用側ケーシング（61）の上面には、略中央にダクト部材（30）の吹出用連通口（33a）に対応する第１開口（62）が、両端部にダクト部材（30）の利用側吸込口（33b）に対応する第２開口（63）がそれぞれ形成されている。この利用側ケーシング（61）において、利用空気が第２開口（63）から第１開口（62）へ流れる経路が利用側通路（6a）になっている。一方、排熱側ケーシング（65）の前面の下端部には、ヘッドボード（20）の第２通風グリル（21b）に対応する排熱側吸込口（66）が形成されている。また、排熱側ケーシング（65）の上面には、ヘッドボード（20）の第３通風グリル（25a）に対応する排熱側吹出口（67）が形成されている。この排熱側ケーシング（65）において、排熱空気が排熱側吸込口（66）から排熱側吹出口（67）へ流れる経路、即ち鉛直方向に直線的に延びる経路が排熱側通路（6b）になっている。
【００５０】
前記利用側ケーシング（61）内には、利用側ファン（75）が１つ設けられている。この利用側ファン（75）は、就寝空間（14）の頭側の利用空気を、ダクト部材（30）を介して第２開口（63）より利用側ケーシング（61）内へ取り込む一方、利用側ケーシング（61）内の利用空気を、第１開口（62）からダクト部材（30）を介して就寝空間（14）の頭側へ吹き出すように構成されている。
【００５１】
前記頭側空調ユニット（60）には、２つの熱源ユニット（70）が設けられている。各熱源ユニット（70）は、熱源（71）と利用側熱交換部（72）と排熱側熱交換部（73）から構成されている。
【００５２】
前記熱源（71）は、板状に形成され、いわゆるペルチェ素子により構成されている。この熱源（71）は、互いに対向する冷却面と加熱面とを有している。利用側熱交換部（72）及び排熱側熱交換部（73）は、図示しないが、熱源（71）を挟み込む台座と、該台座から突出した複数のフィン群を備えている。そして、利用側熱交換部（72）が熱源（71）の冷却面に設けられ、排熱側熱交換部（73）が熱源（71）の加熱面に設けられている。
【００５３】
前記熱源ユニット（70）は、利用側通路（6a）及び排熱側通路（6b）に跨って配置されている。具体的に、熱源ユニット（70）の利用側熱交換部（72）は、利用側通路（6a）における最上流側（第２開口（63）の下方）に位置し、排熱側熱交換部（73）は、排熱側通路（6b）におけるやや上流側（排熱側吸込口（66）の上方）に位置している。つまり、利用側ケーシング（61）において第２開口（63）より流入した空気が利用側熱交換部（72）で冷却され、排熱側ケーシング（65）において排熱側吸込口（66）より流入した空気が排熱側熱交換部（73）で加熱される。
【００５４】
前記排熱側ケーシング（65）内には、排熱側ファン（77）が設けられている。この排熱側ファン（77）は、排熱側通路（6b）における排熱側熱交換部（73）の下流（上方）に配置されている。排熱側ファン（77）は、排熱側吸込口（66）より排熱空気を排熱側ケーシング（65）内へ取り込み、排熱側吹出口（67）から吹き出すように構成されている。つまり、排熱側ファン（77）は、排熱空気を下方から吸い込んで上方へ吹き出すようになっている。これにより、排熱側熱交換部（73）で加熱された暖気は上昇しようとするため、排熱側ファン（77）の上方への送風力（仕事量）が少なくて済む。したがって、排熱側ファン（77）の省エネを図ることができる。
【００５５】
前記利用側ケーシング（61）内には、ドレン回収部（76）が設けられている。このドレン回収部（76）は、熱源ユニット（70）の利用側熱交換部（72）の下方に配置され、該利用側熱交換部（72）で発生したドレンを回収するものである。また、排熱側ケーシング（65）において、側面と排熱側熱交換部（73）との間には断熱材（78）が取り付けられている。この断熱材（78）は、排熱側熱交換部（73）の熱が頭側空調ユニット（60）の外部へ伝わらないようにするためのものである。
【００５６】
＜脚側空調ユニット＞
前記脚側空調ユニット（80）は、図６、図９及び図１０に示すように、フットボード（50）内に収納され、就寝者の脚側の空気調和を行うものであり、脚側空調手段を構成している。脚側空調ユニット（80）は、フットボード（50）よりやや小さい扁平な直方体状に形成されたケーシング（80a）を備えている。
【００５７】
前記ケーシング（80a）の前面には、上部中央に吸込口（81）が形成され、該吸込口（81）の両側方に吹出口（82）が形成されている。この吸込口（81）と２つの吹出口（82）は、フットボード（50）の通風グリル（51a）の後方に位置している。
【００５８】
前記ケーシング（80a）内には、脚側ファン（85）と電熱ヒータ（86）が設けられている。脚側ファン（85）は、吸込口（81）の後方に配置され、吸込口（81）より吸い込んだ空気（利用空気）をケーシング（80a）の下面に向かって吹き出すように構成されている。電熱ヒータ（86）は、脚側ファン（85）とケーシング（80a）の下面との間に、且つ、概ねケーシング（80a）の幅方向（図１０における左右方向）に亘って配置されている。電熱ヒータ（86）は、ケーシング（80a）内に取り込んだ利用空気の加熱手段を構成している。
【００５９】
前記脚側空調ユニット（80）では、脚側ファン（85）により、吸込口（81）から流入した利用空気がケーシング（80a）の下面に衝突した後、吹出口（82）へ流れて流出するようになっている。その際、利用空気が電熱ヒータ（86）によって加熱され、その暖気が就寝者の脚側に供給される。
【００６０】
また、前記空調装置付きベッド（1）は、コントローラ（90）を備えている（図１参照）。コントローラ（90）は、頭側空調ユニット（60）及び脚側空調ユニット（80）の運転制御を行うものであり、例えばヘッドボード（20）の上部に収納されている。このコントローラ（90）は、就寝空間（14）における脚側の温度が頭側の温度より高くなるように制御している。例えば、就寝空間（14）の頭側の温度が２６℃に、脚側の温度が３０℃に維持されるように、熱源（71）及び電熱ヒータ（86）に流れる電流値や各ファン（75,77,85）の風量が制御される。
【００６１】
＜運転動作＞
次に、空調装置付きベッド（1）の空調動作について説明する。まず、就寝者が、カーテン保持部（40）の覆い部材（46）を開けて、前記寝台部（11）の上の就寝空間（14）に入り、覆い部材（46）を閉めて就寝を開始する。この際、第２のカーテン（46b）と、支柱（41）との面ファスナ（100）を密着させて、これらの間の隙間をふさいでおく。
【００６２】
ここで、例えば就寝者がコントローラ（90）を介して、各空調ユニット（60,80）の運転を開始させると、コントローラ（90）は、各空調ユニット（60,80）の制御を開始する。これにより、頭側空調ユニット（60）では、熱源（71）の通電及び各ファン（75,77）の駆動が開始され、脚側空調ユニット（80）では、脚側ファン（85）及び電熱ヒータ（86）の通電が開始される。そして、電熱ヒータ（86）及び熱源（71）に流れる電流値や各ファン（75,77,85）の回転数が適宜制御される。
【００６３】
就寝空間（14）において、就寝者の頭側では、図４、図８及び図５に示すように、ヘッドボード（20）の第１通風グリル（21a）からダクト部材（30）へ就寝空間（14）の頭側の空気（RA1）が利用空気として吸い込まれる。吸い込まれた空気（RA1）は、ダクト部材（30）の利用側吸込口（33b）から頭側空調ユニット（60）の利用側通路（6a）へ導入され、熱源ユニット（70）の利用側熱交換部（72）で冷却される。冷却された調和空気（SA1）は、利用側ファン（75）を通って第１開口（62）からダクト部材（30）へ導入される。ダクト部材（30）へ導入された調和空気（SA1）は、利用側吹出口（32a）を通って第１通風グリル（21a）から前方へ吹き出す。これにより、就寝空間（14）の頭側が所定温度に維持される。そして、吹き出した調和空気（SA1）は、下方へ流れて再び第１通風グリル（21a）へ吸い込まれる。
【００６４】
また、図１に示すように、就寝空間（14）の外部の空気（OA）が寝台部吸込口（12）よりマットレス（13）の下方空間へ取り込まれる。この空気（OA）は、ヘッドボード（20）の第２通風グリル（21b）から頭側空調ユニット（60）の排熱側通路（6b）へ排熱空気として吸い込まれる（図５参照）。吸い込まれた空気（OA）は、熱源ユニット（70）の排熱側熱交換部（73）で加熱される。加熱された空気（OA）は、排熱側ファン（77）を通って排熱側吹出口（67）から流出し、ヘッドボード（20）の第３通風グリル（25a）から上方へ吹き出す。
【００６５】
一方、就寝空間（14）において、就寝者の脚側では、図６及び図１０に示すように、フットボード（50）の通風グリル（51a）の中央から脚側空調ユニット（80）へ就寝空間（14）の脚側の空気（RA2）が利用空気として吸い込まれる。吸い込まれた空気（RA2）は、脚側ファン（85）を通り、電熱ヒータ（86）によって加熱される。加熱された調和空気（SA2）は、吹出口（82）を通って通風グリル（51a）の両端部から前方へ吹き出す。これにより、就寝空間（14）の脚側が所定温度に維持される。そして、吹き出した調和空気（SA2）は、内側へ（寝台部（11）の幅方向における中央へ）流れて再び通風グリル（51a）の中央から吸い込まれる。
【００６６】
＜空調装置付きベッド（1）の効果＞
空調装置付きベッド（1）では、支柱（41）と第２のカーテン（46b）との間の隙間を面ファスナ（100）で塞いで就寝空間（14）内外間の空気の流れを阻害したことにより、就寝空間（14）内の空気調和に必要な電力を減少できる。例えば、図１１は、第２のカーテン（46b）と支柱（41）との間の隙間を面ファスナ（100）で塞いだことによる効果を実験により検証した結果を示している。この実験は、外気温（空調装置付きベッド（1）が設置されている部屋の室温）が２０℃の条件で、就寝空間（14）内部の設定温度を、頭部側（頭側空調ユニット（60）側）で２５．５℃、足部側（脚側空調ユニット（80）側）で３０℃として行った。図１１に示すように、起動後の約１時間程度が経過した状況では、第２のカーテン（46b）と支柱（41）との間の隙間を塞いでいない場合の消費電力が約３００Ｗであったのに対し、その隙間を面ファスナ（100）で塞ぐことによって、消費電力が約１５０Ｗで済んでいる。
【００６７】
《その他の実施形態》
空調装置付きベッド（1）では、就寝者の足部側において、第２のカーテン（46b）を固定しておくのが消費電力低減の観点からは好ましい。
【００６８】
第２のカーテン（46b）の足部側を固定するには、まず、第１のカーテン（46a）を足部側に取り付ける第１のカーテン用取り付け手段を設ける。具体的には、図１２に示すように、脚側空調ユニット（80）の上面板（55）の後ろ側端面と、その後ろ側端面に覆い被さる第１のカーテン（46a）の部位とに、雌雄一対の面ファスナ（201）を設ける。そして、この一対の面ファスナ（201）によって第１のカーテン（46a）を上面板（55）の後ろ側端面に固定する。さらに、図１３に示すように、第１のカーテン（46a）における面ファスナ（201）のちょうど裏側のカーテン面に、さらに別の面ファスナ（202）（雌雄の何れか）を取り付け、その面ファスナ（202）に覆い被さる第２のカーテン（46b）の部位にも、第１のカーテン（46a）側の面ファスナ（202）に対応する面ファスナ（202）を取り付ける。このように面ファスナ（201,202）を設けることで、第１及び第２のカーテン（46a,46b）が足部側でも固定されるので、人が触ってずれることが少なくなり、その結果、カーテンずれによる消費電力の増加を防止できる。
【００６９】
また、第１及び第２のカーテン（46a,46b）の何れか一方には、これらのカーテンを取り付ける際の取り付け位置目印を設けておくとよい。具体的には、例えば図１４に示すように、天井枠（42）の角部分に対応した第１のカーテン（46a）の角部分に目印用テープ（301）を縫い付けることで目印にできる。また、第２のカーテン（46b）も同様に、図１５に示すように、天井枠（42）の角部分に対応した位置に目印用テープ（302）を縫い付けることで目印にできる。そして、覆い部材（46）を覆い被せる際に、まず第１のカーテン（46a）の目印用テープ（301）が天井枠（42）の角部分に来るように取り付け、次に第２のカーテン（46b）の目印用テープ（302）が天井枠（42）の角部分に来るように取り付ける。このように目印をつけておけば、カーテンの取り付け時に間違った位置に取り付けたり、ずれた位置に取り付けたりするのを防止でき、カーテンのずれによる消費電力の増加を防止できる。
【００７０】
なお、面ファスナ（100）を設ける位置は、上記の例には限定されず、就寝空間（14）内に外気が侵入したり、就寝空間（14）内の空気が外部に漏れ出したりする部位に設ければよい。
【００７１】
また、第２のカーテン用取り付け手段は、就寝空間（14）内外間の空気の流れを阻害できるものであれば、上記の面ファスナ（100）には限定されない、
【産業上の利用可能性】
【００７２】
本発明に係る空調装置付きベッドは、就寝空間の空気調和を行なう空調装置付きベッドとして有用である。
【図面の簡単な説明】
【００７３】
【図１】本実施形態に係る空調装置付きベッドを一部省略して示す斜視図である。
【図２】本実施形態に係る空調装置付きベッドの第１のカーテンを閉めた状態を示す斜視図である。
【図３】第２のカーテン（46b）で第１のカーテンを覆った状態を示す斜視図である。
【図４】ヘッドボードの構成を示す斜視図である。
【図５】頭側空調ユニット及びダクト部材の構成を互いに分離した状態で示す斜視図である。
【図６】フットボードの構成を示す斜視図である。
【図７】面ファスナの取り付け位置を示す斜視図である。
【図８】頭側空調ユニット及びダクト部材の構成を示すものであり、（ａ）が前面視、（ｂ）が側面視の図である。
【図９】脚側空調ユニットの構成を示す斜視図である。
【図１０】脚側空調ユニットの構成を示す前面視の図である。
【図１１】面ファスナ（100）で隙間を塞いだことによる消費電力低減の効果を実験により検証した結果を示す図である。
【図１２】第１のカーテン用の面ファスナの取り付け位置を示す図である。
【図１３】足部側における第２のカーテン用の面ファスナの取り付け位置を示す図である。
【図１４】第１のカーテンへの目印用テープの取り付け例を示す図である。
【図１５】第２のカーテンへの目印用テープの取り付け例を示す図である。
【符号の説明】
【００７４】
１０      ベッド本体
１４      就寝空間
４１      支柱（対向部材）
４６      覆い部材
４６ａ      第１のカーテン
４６ｂ      第２のカーテン
６０      頭側空調ユニット（空調手段）
８０      脚側空調ユニット（空調手段）
１００      面ファスナ（第２のカーテン用取り付け手段）
２０１      面ファスナ（第１のカーテン用取り付け手段）
【図１】
2009136562.tif 000003
【図２】
2009136562.tif 000004
【図３】
2009136562.tif 000005
【図４】
2009136562.tif 000006
【図５】
2009136562.tif 000007
【図６】
2009136562.tif 000008
【図７】
2009136562.tif 000009
【図８】
2009136562.tif 000010
【図９】
2009136562.tif 000011
【図１０】
2009136562.tif 000012
【図１１】
2009136562.tif 000013
【図１２】
2009136562.tif 000014
【図１３】
2009136562.tif 000015
【図１４】
2009136562.tif 000016
【図１５】
2009136562.tif 000017